(57)【特許請求の範囲】
【請求項１】
第１の電子機器と通信を行うことにより前記第１の電子機器に対応する第１の宛先パラメータを取得可能に構成された通信部と、
複数のパラメータからなるパラメータセットを含むプリセット情報を、複数記憶可能に構成された記憶部と、
複数の前記プリセット情報のうちの１つである第１のプリセット情報を選択するユーザ操作を受け付ける操作部と、
前記操作部により選択された前記第１のプリセット情報に基づいて、前記通信部がデータを送信する送信処理を制御する制御部と
を備え、
前記第１のプリセット情報の前記複数のパラメータは、前記第１の宛先パラメータとは異なる宛先パラメータを含み、
前記制御部は、前記操作部により前記第１のプリセット情報が選択され、前記通信部により前記第１の宛先パラメータが取得された場合に、前記第１のプリセット情報に含まれる前記宛先パラメータを前記第１の宛先パラメータに変更して、前記送信処理を制御する
情報処理装置。
【請求項２】
前記通信部は、さらに、第２の電子機器と通信を行うことにより前記第２の電子機器に対応する第２の宛先パラメータを取得可能に構成され、
前記制御部は、前記操作部により前記第１のプリセット情報が選択され、前記通信部により前記第１の宛先パラメータおよび前記第２の宛先パラメータが取得された場合には、前記第１の宛先パラメータおよび前記第２の宛先パラメータのうちの一方を選択し、前記第１のプリセット情報に含まれる前記宛先パラメータを、前記第１の宛先パラメータおよび前記第２の宛先パラメータのうちの選択された宛先パラメータに変更して、前記送信処理を制御する
請求項１に記載の情報処理装置。
【請求項３】
前記制御部は、前記第１の電子機器および前記第２の電子機器のうちの一方をユーザに選択させることにより、前記第１の宛先パラメータおよび前記第２の宛先パラメータのうちの一方を選択する
請求項２に記載の情報処理装置。
【請求項４】
前記通信部は、さらに、前記第１の電子機器と通信を行うことにより前記第１の電子機器と前記情報処理装置との間の第１の距離を求めるとともに、前記第２の電子機器と通信を行うことにより前記第２の電子機器と前記情報処理装置との間の第２の距離を求め、
前記制御部は、前記第１の距離が前記第２の距離よりも短い場合には、前記第１の宛先パラメータを選択し、前記第２の距離が前記第１の距離よりも短い場合には、前記第２の宛先パラメータを選択する
請求項２に記載の情報処理装置。
【請求項５】
前記選択された宛先パラメータを表示する表示部をさらに備えた
請求項２から請求項４のいずれか一項に記載の情報処理装置。
【請求項６】
前記通信部は、前記第１の電子機器と通信を行うことにより、通信に使用するプロトコルを示すプロトコルパラメータを生成し、
前記制御部は、前記プロトコルパラメータに基づいて前記送信処理を制御する
請求項１から請求項５のいずれかに記載の情報処理装置。
【請求項７】
前記通信部は、複数のプロトコルを用いて前記第１の電子機器と通信を試み、その通信結果に基づいて、前記プロトコルパラメータを生成する
請求項６に記載の情報処理装置。
【請求項８】
前記制御部は、前記操作部により前記第１のプリセット情報が選択され、前記通信部により前記第１の宛先パラメータが取得されない場合には、前記第１のプリセット情報に基づいて前記送信処理を制御する
請求項１から請求項７のいずれか一項に記載の情報処理装置。
【請求項９】
前記複数のプリセット情報のそれぞれは、前記複数のパラメータのそれぞれの変更可否を示すフラグ情報を有し、
前記制御部は、前記フラグ情報に基づいて、各パラメータを変更する
請求項８に記載の情報処理装置。
【請求項１０】
前記複数のパラメータのうち、変更可能であることを示すフラグ情報に対応するパラメータを表示する表示部をさらに備えた
請求項９に記載の情報処理装置。
【請求項１１】
前記通信部は、前記第１の電子機器に対してアドレスを付与することにより前記第１の宛先パラメータを取得する
請求項１から請求項１０のいずれか一項に記載の情報処理装置。
【請求項１２】
第１の電子機器と通信を行うことにより前記第１の電子機器に対応する第１の宛先パラメータを取得可能に構成された通信部と、
複数のパラメータを含み、前記通信部がデータを送信する処理を含む第１の処理を行うためのパラメータセットを記憶可能に構成された記憶部と、
前記通信部が前記第１の宛先パラメータを取得した場合には、前記パラメータセットおよび前記第１の宛先パラメータに基づいて、前記第１の処理を制御する制御部と
を備え、
前記通信部は、前記第１の電子機器と通信を行うことにより、通信に使用するプロトコルを示すプロトコルパラメータを生成し、
前記制御部は、前記パラメータセットおよび前記第１の宛先パラメータに加え、前記プロトコルパラメータにも基づいて前記第１の処理を制御する
情報処理装置。
【請求項１３】
第１の電子機器と通信を行うことにより前記第１の電子機器に対応する第１の宛先パラメータを取得可能に構成された通信部と、
複数のパラメータを含み、前記通信部がデータを送信する処理を含む第１の処理を行うためのパラメータセットを記憶可能に構成された記憶部と、
前記通信部が前記第１の宛先パラメータを取得した場合には、前記パラメータセットおよび前記第１の宛先パラメータに基づいて、前記第１の処理を制御する制御部と
を備え、
前記複数のパラメータは、第３の電子機器に対応する第３の宛先パラメータを含み、
前記制御部は、前記通信部が前記第１の宛先パラメータを取得した場合には、前記パラメータセットに含まれる前記第３の宛先パラメータを前記第１の宛先パラメータに一時的に変更し、変更された前記パラメータセットに基づいて、前記第１の処理を制御し、
前記パラメータセットは、前記複数のパラメータのそれぞれの変更可否を示すフラグ情報を有し、
前記制御部は、前記フラグ情報に基づいて、各パラメータを変更する
情報処理装置。
【発明の詳細な説明】
【技術分野】
【０００１】
本発明は、情報を処理する情報処理装置に関する。
【背景技術】
【０００２】
例えば、コピー、ファックス、スキャナなどの機能を有する多機能周辺装置（ＭＦＰ；Multi Function Peripheral）では、一つのジョブを実行する際に、しばしば様々な設定が必要になる。そこで、多機能周辺装置では、しばしば、ユーザの負担を軽減するため、様々な設定をプリセットとして予め登録できるように構成される。例えば、特許文献１には、所定の読取モードでの処理をあらかじめスキャンジョブとして登録することができる画像読取システムが開示されている。
【先行技術文献】
【特許文献】
【０００３】
【特許文献１】特開２０００−１７４９４９号公報
【発明の概要】
【発明が解決しようとする課題】
【０００４】
電子機器では、一般に、ユーザの利便性が高いことが望まれており、さらなる利便性の向上が期待されている。
【０００５】
ユーザの利便性を高めることができる情報処理装置を提供することが望ましい。
【課題を解決するための手段】
【０００６】
本発明の一実施の形態における第１の情報処理装置は、通信部と、記憶部と、操作部と、制御部とを備えている。通信部は、第１の電子機器と通信を行うことにより第１の電子機器に対応する第１の宛先パラメータを取得可能に構成されたものである。記憶部は、複数のパラメータからなるパラメータセットを含むプリセット情報を、複数記憶可能に構成されたものである。操作部は、複数のプリセット情報のうちの１つである第１のプリセット情報を選択するユーザ操作を受け付けるものである。制御部は、操作部により選択された第１のプリセット情報に基づいて、通信部がデータを送信する送信処理を制御するものである。第１のプリセット情報の複数のパラメータは、第１の宛先パラメータとは異なる宛先パラメータを含む。制御部は、操作部により第１のプリセット情報が選択され、通信部により第１の宛先パラメータが取得された場合に、第１のプリセット情報に含まれる宛先パラメータを第１の宛先パラメータに変更して、送信処理を制御する。
本発明の一実施の形態における第２の情報処理装置は、通信部と、記憶部と、制御部とを備えている。通信部は、第１の電子機器と通信を行うことにより第１の電子機器に対応する第１の宛先パラメータを取得可能に構成されたものである。記憶部は、複数のパラメータを含み、通信部がデータを送信する処理を含む第１の処理を行うためのパラメータセットを記憶可能に構成されたものである。制御部は、通信部が第１の宛先パラメータを取得した場合には、パラメータセットおよび第１の宛先パラメータに基づいて、第１の処理を制御するものである。通信部は、第１の電子機器と通信を行うことにより、通信に使用するプロトコルを示すプロトコルパラメータを生成し、制御部は、パラメータセットおよび第１の宛先パラメータに加え、プロトコルパラメータにも基づいて第１の処理を制御する。
本発明の一実施の形態における第３の情報処理装置は、通信部と、記憶部と、制御部とを備えている。通信部は、第１の電子機器と通信を行うことにより第１の電子機器に対応する第１の宛先パラメータを取得可能に構成されたものである。記憶部は、複数のパラメータを含み、通信部がデータを送信する処理を含む第１の処理を行うためのパラメータセットを記憶可能に構成されたものである。制御部は、通信部が第１の宛先パラメータを取得した場合には、パラメータセットおよび第１の宛先パラメータに基づいて、第１の処理を制御するものである。複数のパラメータは、第３の電子機器に対応する第３の宛先パラメータを含む。制御部は、通信部が第１の宛先パラメータを取得した場合には、パラメータセットに含まれる第３の宛先パラメータを第１の宛先パラメータに一時的に変更し、変更されたパラメータセットに基づいて、第１の処理を制御する。パラメータセットは、複数のパラメータのそれぞれの変更可否を示すフラグ情報を有する。制御部は、フラグ情報に基づいて、各パラメータを変更する。
【発明の効果】
【０００７】
本発明の一実施の形態における第１の情報処理装置によれば、操作部により第１のプリセット情報が選択され、通信部により第１の宛先パラメータが取得された場合に、第１のプリセット情報に含まれる宛先パラメータを第１の宛先パラメータに変更し、送信処理を制御するようにしたので、ユーザの利便性を高めることができる。
本発明の一実施の形態における第２および第３の情報処理装置によれば、パラメータセットおよび第１の宛先パラメータに基づいて、第１の処理を制御するようにしたので、ユーザの利便性を高めることができる。
【図面の簡単な説明】
【０００８】
【図１】第１の実施の形態に係る情報処理システムの一構成例を表すブロック図である。
【図２】図１に示したプリセット情報の一構成例を表す説明図である。
【図３】図１に示した多機能周辺装置の一動作例を表すフローチャートである。
【図４】図１に示した多機能周辺装置のメニュー画面の一例を表す説明図である。
【図５】図１に示した多機能周辺装置の表示画面の一例を表す説明図である。
【図６】図１に示した多機能周辺装置のScanToサーバ処理の一例を表すフローチャートである。
【図７】図１に示した多機能周辺装置の表示画面の一例を表す他の説明図である。
【図８Ａ】通信設定の一例を表す説明図である。
【図８Ｂ】他の通信設定の一例を表す説明図である。
【図８Ｃ】他の通信設定の一例を表す説明図である。
【図９】第２の実施の形態に係る情報処理システムの一構成例を表すブロック図である。
【図１０】図９に示したプリセット情報の一構成例を表す説明図である。
【図１１】図９に示した多機能周辺装置のScanToサーバ処理の一例を表すフローチャートである。
【図１２】図９に示した多機能周辺装置の表示画面の一例を表す説明図である。
【発明を実施するための形態】
【０００９】
以下、本発明の実施の形態について、図面を参照して詳細に説明する。なお、説明は以下の順序で行う。
１．第１の実施の形態
２．第２の実施の形態
【００１０】
［構成例］
図１は、本発明の第１の実施の形態に係る情報処理装置を備えた情報処理システム（情報処理システム１）の一構成例を表すものである。情報処理システム１は、多機能周辺装置１０と、パーソナルコンピュータ７，８と、スマートフォン９とを備えている。
【００１１】
多機能周辺装置１０は、通信部１１と、表示部１２と、操作部１３と、記憶部１４と、画像読取部１７と、画像形成部１８と、制御部１９とを有している。
【００１２】
通信部１１は、電子機器と通信を行うことにより、例えば印刷データを受信し、あるいは、多機能周辺装置１０が生成した画像データを送信するものである。通信部１１は、有線ネットワーク通信部１１１と、無線ネットワーク通信部１１２と、無線通信部１１３と、ＦＡＸ通信部１１４とを有している。
【００１３】
有線ネットワーク通信部１１１は、有線ＬＡＮ（Local Area Network）を用いて、電子機器（この例ではパーソナルコンピュータ７）と通信を行うものである。なお、この例では、有線ネットワーク通信部１１１は、一台のパーソナルコンピュータ７と通信を行うものとしたが、これに限定されるものではなく、例えば複数の電子機器と通信を行うようにしてもよい。
【００１４】
無線ネットワーク通信部１１２は、無線ＬＡＮを用いて、電子機器と通信を行うものである。無線ネットワーク通信部１１２は、２つの通信モードＭ１，Ｍ２を有している。通信モードＭ１は、子機として動作し、アクセスポイントを介して電子機器との間で間接的に通信を行うモード（インフラストラクチャモード）である。通信モードＭ２は、アクセスポイントとして動作し、電子機器（この例ではパーソナルコンピュータ８）との間で直接的に通信を行うモード（ＳｏｆｔＡＰモード）である。通信モードＭ１，Ｍ２は、例えば、それぞれ有効または無効に設定される。この例では、説明の便宜上、通信モードＭ１を無効に設定するが、これに限定されるものではない。この無線ネットワーク通信部１１２は、通信モードＭ２で動作する場合には、ＤＨＣＰ（Dynamic Host Configuration Protocol）を用いて、パーソナルコンピュータ８に対してＩＰアドレスを割り当てることによりパーソナルコンピュータ８を認識し、その後に接続を解消するまでの期間において、一時的にパーソナルコンピュータ８と通信を行うようになっている。なお、この例では、無線ネットワーク通信部１１２は、一台のパーソナルコンピュータ８と通信を行うものとしたが、これに限定されるものではなく、例えば複数の電子機器と通信を行うようにしてもよい。
【００１５】
無線通信部１１３は、この例では、ブルートゥース（登録商標）を用いて、電子機器（この例ではスマートフォン９）と通信を行うものである。具体的には、無線通信部１１３は、所定のペアリング動作によりスマートフォン９を認識し、その後に接続を解消するまでの期間において、一時的にスマートフォン９と通信を行うようになっている。この無線通信部１１３は、一台のスマートフォン９と通信を行うものとしたが、これに限定されるものではなく、例えば、複数の電子機器と通信を行うようにしてもよい。
【００１６】
ＦＡＸ通信部１１４は、電話回線を介して通信相手との間でデータを送受信するものである。
【００１７】
表示部１２は、多機能周辺装置１０の状態やメニュー画面などを表示するものであり、例えば液晶ディスプレイなどを用いて構成されるものである。操作部１３は、ユーザの操作を受け付けるものであり、例えばタッチパネルや各種ボタンなどを用いて構成されるものである。
【００１８】
記憶部１４は、情報処理システム１の各種設定情報や、画像読取部１７が原稿媒体から読み取った読取データなどを記憶するものである。記憶部１４は、この例では、複数のプリセット情報１５（この例では３つのプリセット情報１５１〜１５３）を記憶している。プリセット情報１５のそれぞれは、１つのジョブを実行するための設定を含むものである。プリセット情報１５１のプリセット名は“ＰＲＥＳＥＴ１”に設定され、プリセット情報１５２のプリセット名は“ＰＲＥＳＥＴ２”に設定され、プリセット情報１５３のプリセット名は“ＰＲＥＳＥＴ３”に設定されている。
【００１９】
図２は、プリセット情報１５１の一例を表すものである。このプリセット情報１５１は、いわゆるScanToサーバ処理を行うためのものである。このScanToサーバ処理は、原稿媒体に記録された情報を読み取ることにより画像データを生成するとともに、生成した画像データを電子機器に送信する処理である。プリセット情報１５１は、通信設定Ａ１と、読取設定Ａ２とを含んでいる。通信設定Ａ１は、画像データを電子機器に送信するための設定であり、例えば、プロトコル、サーバ名、フォルダパス、ファイル名、ポート番号、ユーザ名、およびパスワードの設定を含んでいる。この例では、プロトコルは“ＣＩＦＳ”（Common Internet File System）に設定され、サーバ名は“ＰＣ１”に設定され、フォルダパスは“Folder1”に設定され、ファイル名は“File.pdf”に設定され、ポート番号は“４４５”に設定され、ユーザ名は“ＸＸＸＸ”に設定され、パスワードは“ＹＹＹＹ”に設定されている。読取設定Ａ２は、原稿媒体に記録された情報を読み取るための設定であり、例えば、読取サイズ、ファイル形式、カラー種別、および解像度の設定を含んでいる。この例では、読取サイズは“Ａ４”に設定され、ファイル形式は“ＰＤＦ”に設定され、カラー種別は“Grayscale”に設定され、解像度は“２００ｄｐｉ”に設定されている。
【００２０】
多機能周辺装置１０は、例えば、ユーザが複数のプリセット情報１５のうちの１つを選択した場合には、そのプリセット情報１５に応じた処理を行う。これにより、多機能周辺装置１０では、ユーザが様々な設定をその都度入力する手間を省くことができるため、ユーザの利便性を高めることができるようになっている。
【００２１】
画像読取部１７は、原稿媒体に記録された情報を読み取ることにより画像データを生成するものである。そして、画像読取部１７は、この画像データを記憶部１４に一旦記憶させるようになっている。
【００２２】
画像形成部１８は、制御部１９からの指示に基づいて、記録媒体に画像を形成するものである。具体的には、画像形成部１８は、例えば、電子機器（この例ではパーソナルコンピュータ７など）から送信され、通信部１１が受信した印刷データに基づいて、記録媒体に画像を形成する。また、画像形成部１８は、例えば、画像読取部１７が生成した画像データに基づいて、記録媒体に画像を形成するようになっている。
【００２３】
制御部１９は、多機能周辺装置１０の動作を制御するものである。制御部１９は、例えば、ハードウェアにより構成してもよいし、プログラムを実行可能なプロセッサを用いて構成してもよい。
【００２４】
パーソナルコンピュータ７は、例えばデスクトップ型のパーソナルコンピュータであり、有線ＬＡＮを用いて、通信部１１の有線ネットワーク通信部１１１と通信を行うものである。パーソナルコンピュータ７のコンピュータ名（サーバ名）は、この例では“ＰＣ１”に設定されており、プロトコル“ＣＩＦＳ”およびポート“４４５”を用いて通信可能に構成されている。また、パーソナルコンピュータ７は、多機能周辺装置１０からアクセス可能な共有フォルダを有している。この共有フォルダの名前は、この例では“Folder1”に設定されている。多機能周辺装置１０は、この共有フォルダに、ユーザ名“ＸＸＸＸ”およびパスワード“ＹＹＹＹ”を用いてアクセスすることができる。よって、例えば、多機能周辺装置１０は、図２に示したプリセット情報１５１を用いてScanToサーバ処理を行う場合には、画像データをパーソナルコンピュータ７の共有フォルダ“Folder1”に送信することができるようになっている。
【００２５】
パーソナルコンピュータ８は、例えばノート型のパーソナルコンピュータであり、無線ＬＡＮを用いて、通信部１１の無線ネットワーク通信部１１２と通信を行うものである。具体的には、このパーソナルコンピュータ８は、通信モードＭ２（ＳｏｆｔＡＰモード）で動作する無線ネットワーク通信部１１２に接続されている。パーソナルコンピュータ８のコンピュータ名（サーバ名）は、この例では“ＰＣ２”に設定されている。
【００２６】
スマートフォン９は、ブルートゥースを用いて、通信部１１の無線通信部１１３と通信を行うものである。スマートフォン９のコンピュータ名（サーバ名）は、この例では“ＰＨＯＮＥ１”に設定されている。
【００２７】
ここで、多機能周辺装置１０は、本発明における「情報処理装置」の一具体例に対応する。通信部１１は、本発明における「通信部」の一具体例に対応する。プリセット情報１５１は、本発明における「パラメータセット」の一具体例に対応する。例えば、パーソナルコンピュータ８は、本発明における「第１の電子機器」の一具体例に対応し、パーソナルコンピュータ８のサーバ名“ＰＣ２”は、本発明における「第１の宛先パラメータ」の一具体例に対応する。例えば、スマートフォン９は、本発明における「第２の電子機器」の一具体例に対応し、スマートフォン９のサーバ名“ＰＨＯＮＥ１”は、本発明における「第２の宛先パラメータ」の一具体例に対応する。例えば、パーソナルコンピュータ７は、本発明における「第３の電子機器」の一具体例に対応し、パーソナルコンピュータ７のサーバ名“ＰＣ１”は、本発明における「第３の宛先パラメータ」の一具体例に対応する。通信設定Ａ１におけるプロトコルの設定は、本発明における「プロトコルパラメータ」の一具体例に対応する。
【００２８】
［動作および作用］
続いて、本実施の形態の情報処理システム１の動作および作用について説明する。
【００２９】
（全体動作概要）
まず、図１を参照して、情報処理システム１の全体動作概要を説明する。多機能周辺装置１０の通信部１１は、電子機器と通信を行うことにより、例えば印刷データを受信し、あるいは、多機能周辺装置１０が生成した画像データを送信する。具体的には、有線ネットワーク通信部１１１は、有線ＬＡＮを用いて、例えばパーソナルコンピュータ７と通信を行い、無線ネットワーク通信部１１２は、無線ＬＡＮを用いて、例えばパーソナルコンピュータ８と通信を行い、無線通信部１１３は、ブルートゥースを用いて、例えばスマートフォン９と通信を行う。表示部１２は、多機能周辺装置１０の状態やメニュー画面などを表示する。操作部１３は、ユーザの操作を受け付ける。記憶部１４は、情報処理システム１の各種設定情報や、画像読取部１７が原稿媒体から読み取った読取データなどを記憶する。記憶部１４は、この例では、複数のプリセット情報１５を記憶している。画像読取部１７は、原稿媒体に記録された情報を読み取ることにより画像データを生成する。画像形成部１８は、制御部１９からの指示に基づいて、記録媒体に画像を形成する。制御部１９は、多機能周辺装置１０の動作を制御する。
【００３０】
（詳細動作）
図３は、多機能周辺装置１０の一動作例を表すものである。多機能周辺装置１０は、まず、ユーザに処理を選択させるとともに、必要に応じてプリセットを選択させ、その後に処理を実行する。以下に、この動作について詳細に説明する。
【００３１】
まず、多機能周辺装置１０は、制御部１９からの指示に基づいて、多機能周辺装置１０において実行可能な処理を示すメニュー画面を表示し、ユーザによる選択操作に基づいて処理を選択する（ステップＳ１）。
【００３２】
図４は、表示部１２が表示するメニュー画面の一例を表すものである。この例では、表示部１２は、ボタンＢ１〜Ｂ５を表示している。ボタンＢ１は、コピー処理を選択するためのボタンである。ボタンＢ２は、ScanToEメール処理を選択するためのボタンである。このScanToEメール処理は、原稿媒体に記録された情報を読み取ることにより画像データを生成するとともに、生成した画像データをＥメールで送信する処理である。ボタンＢ３は、ScanToFAX処理を選択するためのボタンである。このScanToFAX処理は、原稿媒体に記録された情報を読み取ることにより画像データを生成するとともに、生成した画像データをＦＡＸ送信する処理である。ボタンＢ４は、ScanToサーバ処理を選択するためのボタンである。ボタンＢ５は、その他の処理を行う際に用いるボタンである。
【００３３】
表示部１２は、このようなメニュー画面を表示し、ユーザに処理の選択を促す。そして、操作部１３は、ユーザの選択操作を受け付ける。
【００３４】
次に、多機能周辺装置１０は、制御部１９からの指示に基づいて、ステップＳ１において選択した処理に関するプリセットの一覧を表示し、ユーザによる選択操作に基づいてプリセットを選択する（ステップＳ２）。
【００３５】
図５は、表示部１２が表示するプリセットの一覧の表示画面の一例を表すものである。この例では、表示部１２は、３つのボタンＢ１１〜Ｂ１３を配置したウィンドウＷ１を表示している。ボタンＢ１１は、プリセット名“ＰＲＥＳＥＴ１”を有するプリセット情報１５１を選択するためのボタンであり、ボタンＢ１２は、プリセット名“ＰＲＥＳＥＴ２”を有するプリセット情報１５２を選択するためのボタンであり、ボタンＢ１３は、プリセット名“ＰＲＥＳＥＴ３”を有するプリセット情報１５３を選択するためのボタンである。
【００３６】
表示部１２は、このような画面を表示し、ユーザにプリセットの選択を促し、操作部１３は、ユーザの選択操作を受け付ける。そして、制御部１９は、ユーザが選択したプリセットに係るプリセット情報１５を、記憶部１４から読み出す。
【００３７】
次に、多機能周辺装置１０は、ステップＳ１において選択した処理を実行する（ステップＳ３）。その際、多機能周辺装置１０は、ステップＳ２において記憶部１４から読み出したプリセット情報１５に基づいて、処理を実行する。なお、ステップＳ２においてユーザがプリセットの選択を行わなかった場合には、多機能周辺装置１０は、プリセットを用いずに、処理を実行する。
【００３８】
（ScanToサーバ処理について）
次に、ステップＳ１において、ユーザがScanToサーバ処理を選択し、ステップＳ２において、ユーザがプリセット情報１５１を選択した場合の、ステップＳ３における処理動作について詳細に説明する。
【００３９】
図６は、ScanToサーバ処理の一例を表すものである。多機能周辺装置１０は、ScanToサーバ処理では、通信部１１に一時的に接続している電子機器がない場合には、パーソナルコンピュータ７に画像データを送信する。また、多機能周辺装置１０は、１台の電子機器に一時的に接続している場合には、その電子機器に画像データを送信し、複数の電子機器に一時的に接続している場合には、その複数の電子機器のうちの１台に画像データを送信する。以下に、この動作について詳細に説明する。
【００４０】
まず、制御部１９は、通信部１１に一時的に接続している電子機器があるか否かを確認する（ステップＳ１１）。具体的には、制御部１９は、無線ネットワーク通信部１１２が通信モードＭ２（ＳｏｆｔＡＰモード）で電子機器に接続しているか否かを確認するとともに、無線通信部１１３が電子機器に接続しているか否かを確認する。すなわち、無線通信部１１３、および通信モードＭ２で動作する無線ネットワーク通信部１１２は、一時的に電子機器に接続する際に使用される。よって、制御部１９は、無線ネットワーク通信部１１２および無線通信部１１３が電子機器に接続しているか否かを確認することにより、通信部１１に一時的に接続している電子機器があるか否かを確認する。通信部１１に一時的に接続している電子機器がない場合（ステップＳ１１において“Ｎ”）には、ステップＳ１８に進む。
【００４１】
ステップＳ１１において、通信部１１に一時的に接続している電子機器がある場合（ステップＳ１１において“Ｙ”）には、制御部１９は、通信部１１に一時的に接続している電子機器が１つであるか否かを確認する（ステップＳ１２）。一時的に接続している電子機器が１つである場合（ステップＳ１２において“Ｙ”）には、ステップＳ１４に進む。
【００４２】
ステップＳ１２において、通信部１１に一時的に接続している電子機器が１つではない場合（ステップＳ１２において“Ｎ”）には、多機能周辺装置１０は、一時的に接続している複数の電子機器の一覧を表示し、ユーザによる選択操作に基づいて１つの電子機器を選択する（ステップＳ１３）。
【００４３】
図７は、複数の電子機器の一覧を表示する表示画面の一例を表すものである。この例では、表示部１２は、ウィンドウＷ１の隣に、２つのボタンＢ２１，Ｂ２２を配置したウィンドウＷ２を表示している。ボタンＢ２１は、コンピュータ名“ＰＣ２”を有するパーソナルコンピュータ８を選択するためのボタンであり、ボタンＢ２２は、コンピュータ名“ＰＨＯＮＥ１”を有するスマートフォン９を選択するためのボタンである。すなわち、この例では、パーソナルコンピュータ８は、通信モードＭ２で動作する無線ネットワーク通信部１１２に一時的に接続しており、スマートフォン９は、無線通信部１１３に一時的に接続している。よって、表示部１２は、ユーザにパーソナルコンピュータ８またはスマートフォン９を選択させるための２つのボタンＢ２１，Ｂ２２を表示する。
【００４４】
表示部１２は、このような画面を表示し、ユーザに、電子機器の選択を促す。そして、操作部１３は、ユーザの選択操作を受け付ける。
【００４５】
次に、制御部１９は、電子機器が、通信モードＭ２（ＳｏｆｔＡＰモード）で接続している電子機器であるか否かを確認する（ステップＳ１４）。具体的には、例えば、一時的に接続している電子機器が１つである場合（ステップＳ１２において“Ｙ”）には、その電子機器が、通信モードＭ２で接続している電子機器であるか否かを確認する。また、制御部１９は、一時的に接続している電子機器が複数である場合（ステップＳ１２において“Ｎ”）には、ステップＳ１３においてユーザが選択した電子機器が、通信モードＭ２で接続している電子機器であるか否かを確認する。通信モードＭ２で接続している電子機器ではない場合（ステップＳ１４において“Ｎ”）には、ステップＳ１７に進む。
【００４６】
ステップＳ１４において、電子機器が、通信モードＭ２で接続している電子機器である場合（ステップＳ１４において“Ｙ”）には、制御部１９は、プロトコルを選択する（ステップＳ１５）。具体的には、例えば、無線ネットワーク通信部１１２が、様々なプロトコルで、その電子機器と通信を試み、制御部１９は、その通信結果に基づいてプロトコルを選択する。プロトコルは、例えば、ＣＩＦＳ、ＦＴＰ（File Transfer Protocol）、ＨＴＴＰ（Hypertext Transfer Protocol）を用いることができる。
【００４７】
次に、制御部１９は、ステップＳ１５において選択したプロトコルに基づいて、記憶部１４から読み出したプリセット情報１５における通信設定Ａ１を変更する（ステップＳ１６）。具体的には、まず、無線ネットワーク通信部１１２が、ステップＳ１５において選択したプロトコルを用いて電子機器と通信を行うための通信設定Ａ１を生成し、制御部１９が、記憶部１４から読み出したプリセット情報１５における通信設定Ａ１を、無線ネットワーク通信部１１２が生成した通信設定Ａ１に変更する。
【００４８】
図８Ａ，８Ｂ，８Ｃは、通信設定Ａ１のうちの、プロトコル、サーバ名、フォルダパス、ファイル名、およびポート番号の設定例を表すものである。
【００４９】
図８Ａの例では、プロトコルは“ＣＩＦＳ”に設定され、サーバ名は“ＰＣ２”に設定され、フォルダパスは“Folder2”に設定され、ファイル名は“File.pdf”に設定され、ポート番号は“４４５”に設定されている。すなわち、この例では、元の通信設定Ａ１（図２）におけるサーバ名が“ＰＣ１”から“ＰＣ２”に変更され、フォルダパスが“Folder1”から“Folder2”に変更されている。このとき、ファイル送信先のパスは、例えば“\\PC2\Folder2\File.pdf”のようになる。例えば、コンピュータ名が“ＰＣ２”であるパーソナルコンピュータ８において、多機能周辺装置１０によりアクセス可能な共有フォルダが“Folder2”だけである場合に、通信設定Ａ１をこのように変更することができる。
【００５０】
図８Ｂの例では、プロトコルは“ＦＴＰ”に設定され、サーバ名は“ＰＣ２”に設定され、フォルダパスは“Folder1”に設定され、ファイル名は“File.pdf”に設定され、ポート番号は“２１”に設定されている。すなわち、この例では、元の通信設定Ａ１（図２）におけるプロトコルが“ＣＩＦＳ”から“ＦＴＰ”に変更され、サーバ名が“ＰＣ１”から“ＰＣ２”に変更され、ポート番号が“４４５”から“２１”に変更されている。このとき、ファイル送信先のパスは、例えば“ftp://PC2/Folder1/File.pdf”のようになる。
【００５１】
図８Ｃの例では、プロトコルは“ＨＴＴＰ”に設定され、サーバ名は“ＰＣ２”に設定され、フォルダパスは“Folder1”に設定され、ファイル名は“File.pdf”に設定され、ポート番号は“８０”に設定されている。すなわち、この例では、元の通信設定Ａ１（図２）におけるプロトコルが“ＣＩＦＳ”から“ＨＴＴＰ”に変更され、サーバ名が“ＰＣ１”から“ＰＣ２”に変更され、ポート番号が“４４５”から“８０”に変更されている。このとき、ファイル送信先のパスは、例えば“http://PC2/Folder1/File.pdf”のようになる。
【００５２】
ステップＳ１４において、電子機器が、通信モードＭ２で接続している電子機器ではない場合（ステップＳ１４において“Ｎ”）には、制御部１９は、その電子機器との接続方法に基づいて、記憶部１４から読み出したプリセット情報１５における通信設定Ａ１を変更する（ステップＳ１７）。具体的には、例えば、その電子機器とブルートゥースで接続している場合には、無線通信部１１３が、ブルートゥースを用いて電子機器と通信を行うための通信設定Ａ１を生成し、制御部１９が、記憶部１４から読み出したプリセット情報１５における通信設定Ａ１を、無線通信部１１３が生成した通信設定Ａ１に変更する。
【００５３】
次に、表示部１２は、通信設定Ａ１を表示する（ステップＳ１８）。具体的には、例えば、一時的に接続している電子機器がない場合（ステップＳ１１において“Ｎ”）には、記憶部１４から読み出したプリセット情報１５における通信設定Ａ１をそのまま表示する。また、例えば、一時的に接続している電子機器がある場合（ステップＳ１１において“Ｙ”）には、ステップＳ１６，Ｓ１７において変更した通信設定Ａ１を表示する。
【００５４】
そして、多機能周辺装置１０は、プリセット情報１５に基づいて、ScanToサーバ処理を実行する（ステップＳ１９）。具体的には、多機能周辺装置１０は、プリセット情報１５の読取設定Ａ２に基づいて、原稿媒体に記録された情報を読み取ることにより画像データを生成し、通信設定Ａ１に基づいて、生成した画像データを電子機器に送信する。
【００５５】
これにより、多機能周辺装置１０は、例えば、一時的に接続している電子機器がない場合（ステップＳ１１において“Ｎ”）には、生成した画像データをパーソナルコンピュータ７に送信する。また、多機能周辺装置１０は、例えば、一時的に接続している電子機器があり（ステップＳ１１において“Ｙ”）、その電子機器がパーソナルコンピュータ８である場合（ステップＳ１４において“Ｙ”）には、ステップＳ１６において変更した通信設定Ａ１に基づいて、生成した画像データを、そのパーソナルコンピュータ８に送信する。また、多機能周辺装置１０は、例えば、一時的に接続している電子機器があり（ステップＳ１１において“Ｙ”）、その電子機器がスマートフォン９である場合（ステップＳ１４において“Ｎ”）には、ステップＳ１７において変更した通信設定Ａ１に基づいて、生成した画像データを、そのスマートフォン９に送信する。
【００５６】
以上でこの処理は終了する。
【００５７】
このように、多機能周辺装置１０では、様々な設定をプリセットとして予め登録できるようにしたので、ユーザが様々な設定をその都度入力する手間を省くことができるため、ユーザの利便性を高めることができる。
【００５８】
また、多機能周辺装置１０では、ScanToサーバ処理のプリセットを登録した場合において、画像データの宛先のサーバを一時的に変更できるようにしたので、ユーザの利便性を高めることができる。すなわち、まず、プリセット情報１５１において、画像データの宛先を、多機能周辺装置１０に常に接続している電子機器（パーソナルコンピュータ７）に設定しておくことにより、通常は、画像データをパーソナルコンピュータ７に送ることができる。そして、例えば、ユーザが一時的に、画像データをパーソナルコンピュータ８に送信したい場合には、パーソナルコンピュータ８を、通信モードＭ２（ＳｏｆｔＡＰモード）で動作する無線ネットワーク通信部１１２に接続する。これにより、画像データの宛先は、パーソナルコンピュータ８に設定される（ステップＳ１５，Ｓ１６）。また、例えば、ユーザが一時的に、画像データをスマートフォン９に送信したい場合には、スマートフォン９を無線通信部１１３に接続する。これにより、画像データの宛先は、スマートフォン９に設定される（ステップＳ１７）。その結果、多機能周辺装置１０では、画像データを容易に、あらかじめ設定された電子機器（パーソナルコンピュータ７）とは異なる他の電子機器（パーソナルコンピュータ８やスマートフォン９）に送信することができる。
【００５９】
すなわち、例えば、プリセットを使用しないでScanToサーバ処理を行い、画像データをパーソナルコンピュータ８やスマートフォン９に送信する場合には、ユーザは様々な設定を入力する必要があるため、手間がかかる。また、例えば、プリセットを使用して画像データをパーソナルコンピュータ７に一旦送信した後に、その画像データをパーソナルコンピュータ８やスマートフォン９に再送信する場合には、ユーザが再送信の作業を行う必要があるため、手間がかかる。一方、多機能周辺装置１０では、例えば、パーソナルコンピュータ８を、通信モードＭ２で動作する無線ネットワーク通信部１１２に接続することにより、画像データを一時的にパーソナルコンピュータ８に送信することができる。これにより、多機能周辺装置１０では、ユーザの手間が省け、ユーザの利便性を高めることができる。
【００６０】
また、多機能周辺装置１０では、一時的に複数の電子機器が接続している場合に、ユーザに１つの電子機器を選択させるようにしたので、ユーザの意思を直接確認することができるため、ユーザの利便性を高めることができる。
【００６１】
また、多機能周辺装置１０では、電子機器が、通信モードＭ２（ＳｏｆｔＡＰモード）で接続している場合において、プロトコルを選択するようにしたので、最適なプロトコルを選択することができるため、ユーザの利便性を高めることができる。
【００６２】
［効果］
以上のように本実施の形態では、一時的に画像データの宛先のサーバを変更できるようにしたので、ユーザの利便性を高めることができる。
【００６３】
本実施の形態では、一時的に複数の電子機器が接続している場合に、ユーザに１つの電子機器を選択させるようにしたので、ユーザの利便性を高めることができる。
【００６４】
本実施の形態では、通信モードＭ２（ＳｏｆｔＡＰモード）で接続している場合において、プロトコルを選択するようにしたので、ユーザの利便性を高めることができる。
【００６５】
［変形例１−１］
上記実施の形態では、ステップＳ１６，Ｓ１７において通信設定Ａ１を変更し、ステップＳ１９において、変更後の通信設定Ａ１に基づいて画像データを送信したが、これに限定されるものではない。さらに、変更前の通信設定Ａ１にも基づいて画像データを送信してもよい。この場合には、画像データを、例えばパーソナルコンピュータ８やスマートフォン９に送信するとともに、パーソナルコンピュータ７にも送信することができる。
【００６６】
［変形例１−２］
上記実施の形態では、多機能周辺装置１０がScanToサーバ処理を行う際に、一時的に画像データの宛先のサーバを変更できるようにしたが、これに限定されるものではない。これに代えて、例えば、多機能周辺装置１０の記憶部１４が記憶している様々なデータを電子機器に送信する処理において、一時的に宛先のサーバを変更できるようにしてもよい。
【００６７】
［変形例１−３］
上記実施の形態では、一時的に複数の電子機器が接続している場合に、ユーザに１つの電子機器を選択させるようにしたが、これに限定されるものではない。これに代えて、例えば、多機能周辺装置１０が、複数の電子機器との間の距離をそれぞれ求め、距離が一番近い電子機器を選択してもよい。具体的には、多機能周辺装置１０は、例えば、複数の電子機器と無線通信を行ったときの受信信号レベルに基づいて、各電子機器との間の距離を求めることができる。
【００６８】
［変形例１−４］
上記実施の形態では、ステップＳ１６，Ｓ１７において通信設定Ａ１を変更したが、その際、例えば、画像データのデータフォーマットをも変更するようにしてもよい。これにより、例えば、ブルートゥースで接続している電子機器に対して画像データを送信する場合と、無線ＬＡＮで接続している電子機器に対して画像データを送信する場合とで、互いに異なるデータフォーマットの画像データを送信することができる。
【００６９】
［変形例１−５］
上記実施の形態では、無線ＬＡＮやブルートゥースを用いて、一時的に電子機器と接続したが、これに限定されるものではない。これに代えて、例えば、ＮＦＣ（Near Field Communication）を用いて、一時的に電子機器と接続してもよい。また、上記実施の形態では、無線通信を用いて、一時的に電子機器と接続したが、これに限定されるものではなく、これに代えて、例えば有線通信を用いて、一時的に電子機器と接続してもよい。具体的には、例えばＵＳＢ（Universal Serial Bus）を用いることができる。
【００７０】
［変形例１−６］
上記実施の形態では、ステップＳ１３において、複数の電子機器のうちの１つを選択したが、これに限定されるものではなく、これに代えて、例えば１または複数の電子機器を選択できるようにしてもよい。
【００７１】
［その他の変形例］
また、これらの変形例のうちの２以上を組み合わせてもよい。
【００７２】
＜２．第２の実施の形態＞
次に、第２の実施の形態に係る情報処理システム２について説明する。本実施の形態は、プリセットにおいて、設定項目ごとに変更の可否を設定できるようにしたものである。なお、上記第１の実施の形態に係る情報処理システム１と実質的に同一の構成部分には同一の符号を付し、適宜説明を省略する。
【００７３】
図９は、情報処理システム２の一構成例を表すものである。情報処理システム２は、多機能周辺装置２０を備えている。多機能周辺装置２０は、記憶部２４と、プリセット情報解析部２６と、制御部２９とを有している。
【００７４】
記憶部２４は、第１の実施の形態に係る記憶部１４と同様に、情報処理システム２の各種設定情報や、画像読取部１７が原稿媒体から読み取った読取データなどを記憶するものである。記憶部２４は、この例では３つのプリセット情報２５１〜２５３を記憶している。プリセット情報２５１のプリセット名は“ＰＲＥＳＥＴ１”に設定され、プリセット情報２５２のプリセット名は“ＰＲＥＳＥＴ２”に設定され、プリセット情報２５３のプリセット名は“ＰＲＥＳＥＴ３”に設定されている。
【００７５】
図１０は、プリセット情報２５１の一例を表すものである。このプリセット情報２５１は、プリセット情報１５１と同様に、ScanToサーバ処理を行うためのものである。このプリセット情報２５１は、設定項目ごとに変更の可否を設定できるようになっている。この例では、プロトコル、サーバ名、フォルダパス、ファイル名、ポート番号、ユーザ名、およびパスワードについて、変更が許可されており、読み取りサイズ、ファイル形式、および解像度について、変更が禁止されている。プリセット情報２５２，２５３についても同様である。
【００７６】
プリセット情報解析部２６は、ユーザが選択したプリセット情報２５における各設定項目の変更の可否を解析するものである。そして、プリセット情報解析部２６は、その解析結果を制御部２９に伝えるようになっている。
【００７７】
制御部２９は、多機能周辺装置２０の動作を制御するものである。
【００７８】
次に、図６のステップＳ１において、ユーザがScanToサーバ処理を選択し、ステップＳ２において、ユーザがプリセット情報２５１を選択した場合の、ステップＳ３における処理動作について詳細に説明する。
【００７９】
図１１は、ScanToサーバ処理の一例を表すものである。
【００８０】
まず、プリセット情報解析部２６は、制御部２９からの指示に基づいて、ステップＳ２において記憶部２４から読み出したプリセット情報２５における各設定項目の変更権限を解析し、通信設定Ａ１が変更可能であるか否かを確認する（ステップＳ２１）。通信設定Ａ１が変更可能でない場合（ステップＳ２１において“Ｎ”）には、ステップＳ２２に進む。
【００８１】
ステップＳ２１において、通信設定Ａ１が変更可能である場合（ステップＳ２１において“Ｙ”）には、制御部２９は、通信部１１に一時的に接続している電子機器があるか否かを確認する（ステップＳ１１）。通信部１１に一時的に接続している電子機器がない場合（ステップＳ１１において“Ｎ”）には、ステップＳ２２に進む。
【００８２】
ステップＳ１１において、通信部１１に一時的に接続している電子機器がある場合（ステップＳ１１において“Ｙ”）には、多機能周辺装置２０は、第１の実施の形態の場合と同様に動作し、記憶部２４から読み出したプリセット情報２５における通信設定Ａ１を変更する（ステップＳ１２〜Ｓ１７）。
【００８３】
次に、表示部１２は、制御部２９からの指示に基づいて、変更可能な設定項目の一覧を表示し、ユーザによる変更操作を受け付ける（ステップＳ２２）。
【００８４】
図１２は、変更可能な設定項目の一覧を表示する表示画面の一例を表すものである。この例では、表示部１２は、複数（この例では８つ）の設定変更ボタンＢ３１と、開始ボタンＢ３２とを表示している。設定変更ボタンＢ３１は、設定項目を選択するためのボタンである。この例では、図１０に示したように、プロトコル、サーバ名、フォルダパス、ファイル名、ポート番号、ユーザ名、パスワード、およびカラー種別の８つの設定項目について変更が許可されている。よって、表示部１２は、８つの設定変更ボタンＢ３１を表示している。設定変更ボタンＢ３１のそれぞれは、設定項目および設定値を示している。ユーザは、変更したい設定項目に係る設定変更ボタンＢ３１を操作することにより、その設定項目の設定値を変更することができる。この場合、制御部２９は、記憶部２４から読み出したプリセット情報２５を変更する。この例では、多機能周辺装置２０にパーソナルコンピュータ８が接続され、ステップＳ１６において、通信設定Ａ１が図８Ａに示した設定に変更されている。開始ボタンＢ３２は、処理を開始するためのボタンである。
【００８５】
次に、制御部２９は、ユーザが開始ボタンＢ３２を操作したか否かを確認する（ステップＳ２３）。開始ボタンＢ３２をまだ操作していない場合（ステップＳ２３において“Ｎ”）には、ステップＳ２２に戻り、ユーザが開始ボタンＢ３２を操作するまでステップＳ２２，Ｓ２３を繰り返す。
【００８６】
そして、ステップＳ２３において、ユーザが開始ボタンＢ３２を操作した場合（ステップＳ２３において“Ｙ”）には、多機能周辺装置２０は、プリセット情報２５に基づいて、ScanToサーバ処理を実行する（ステップＳ２４）。
【００８７】
以上でこのフローは終了する。
【００８８】
このように、多機能周辺装置２０では、プリセット情報２５において、設定項目ごとに変更の可否を設定できるようにした。これにより、例えば図１２に示したように、プリセット情報２５のうちの変更可能な設定項目のみを表示することができる。よって、ユーザは、変更したい設定項目をより探しやすくなる。また、ユーザは、プリセット情報２５に対応する処理（この例ではScanToサーバ処理）を熟知していない場合でも、変更が必要な設定項目を考える手間を省くことができる。また、例えば、全ての設定項目について変更を禁止した場合には、多機能周辺装置２０は、記憶部２４から読み出したプリセット情報２５に基づいて、ユーザに負担を強いることなく、速やかに処理を実行することができる。このように、多機能周辺装置２０では、ユーザの負担を軽減することができ、その結果、ユーザの利便性を高めることができる。
【００８９】
以上のように本実施の形態では、設定項目ごとに変更の可否を設定できるようにしたので、ユーザの利便性を高めることができる。その他の効果は、上記第１の実施の形態の場合と同様である。
【００９０】
［変形例２−１］
上記実施の形態に係る情報処理システム２に、上記第１の実施の形態の各変形例を適用してもよい。
【００９１】
以上、いくつかの実施の形態および変形例を挙げて本技術を説明したが、本技術はこれらの実施の形態等には限定されず、種々の変形が可能である。
【００９２】
例えば、上記の各実施の形態では、本技術を多機能周辺装置に適用したが、これに限定されるものではなく、これに代えて、例えば、画像読取装置に適用してもよい。また、画像データを取り扱う装置への適用に限定されるものではなく、より一般的なデータを取り扱う装置に適用してもよい。
【符号の説明】
【００９３】
１，２…情報処理システム、７，８…パーソナルコンピュータ、９…スマートフォン、１０，２０…多機能周辺装置、１１…通信部、１２…表示部、１３…操作部、１４，２４…記憶部、１５，２５，１５１〜１５３，２５１〜２５３…プリセット情報、１７…画像読取部、１８…画像形成部、２６…プリセット情報解析部、１１１…有線ネットワーク通信部、１１２…無線ネットワーク通信部、１１３…無線通信部、１１４…ＦＡＸ通信部、Ａ１…通信設定、Ａ２…読取設定。
【図１】
0006637387.tif 000002
【図２】
0006637387.tif 000003
【図３】
0006637387.tif 000004
【図４】
0006637387.tif 000005
【図５】
0006637387.tif 000006
【図６】
0006637387.tif 000007
【図７】
0006637387.tif 000008
【図８Ａ】
0006637387.tif 000009
【図８Ｂ】
0006637387.tif 000010
【図８Ｃ】
0006637387.tif 000011
【図９】
0006637387.tif 000012
【図１０】
0006637387.tif 000013
【図１１】
0006637387.tif 000014
【図１２】
0006637387.tif 000015